(57)【要約】【課題】異なる生産地間でセンサデータを含む生産情報を交換することを可能とし、生産効率向上を図ることができる生産情報処理システム及び生産情報処理方法を提供する。【解決手段】生産情報処理システムは、複数の生産地夫々に設けられる複数のセンサと、前記複数の生産地毎に１又は複数設けられており、センサデータを取得して送信する通信装置と、センサデータを各通信装置から収集する情報処理装置とを含む。通信装置はセンサから取得するセンサデータを、生産地を識別する識別情報と対応付けて送信し、情報処理装置は、センサデータを識別情報と対応付けて記憶する生産情報テーブルと、生産物の属性情報を生産地毎に取得し、属性情報を前記識別情報に対応付けて記憶する属性テーブルと、該属性テーブルにおける属性情報に基づき前記生産情報テーブルからセンサデータを抽出して他装置へ送信する送信部とを備える。【選択図】図１
2018163606.tif 000002
【特許請求の範囲】
【請求項１】
複数の生産地夫々に設けられる複数のセンサと、前記複数の生産地毎に１又は複数設けられており、対応する生産地の複数のセンサにて測定されたセンサデータを取得して送信する通信装置と、該通信装置から送信されるセンサデータを収集する情報処理装置とを含む生産情報処理システムであって、
前記通信装置は、前記複数のセンサから取得するセンサデータを、生産地を識別する識別情報と対応付けて送信し、
前記情報処理装置は、
前記複数の通信装置から送信されるセンサデータを前記識別情報と対応付けて記憶する生産情報テーブルと、
前記生産地にて生産される生産物の属性情報を生産地毎に取得する取得部と、
取得した属性情報を前記識別情報に対応付けて記憶する属性テーブルと、
該属性テーブルにおける属性情報に基づき前記生産情報テーブルからセンサデータを抽出して他装置へ送信する送信部と
を備えることを特徴とする生産情報処理システム。
【請求項２】
前記生産情報テーブルには、前記生産地を識別する識別情報毎に、前記送信部による送信の可否を示す可否情報が記憶されている
ことを特徴とする請求項１に記載の生産情報処理システム。
【請求項３】
前記情報処理装置は、
前記属性情報テーブルにおける生産地毎の生産物の属性情報と対応する前記生産地を夫々識別する識別情報を表示し、生産地の選択を受け付ける画面を生成する生成部を備え、
前記送信部は、前記画面にて選択された生産地の識別情報に対応するセンサデータを前記他装置へ送信する
ことを特徴とする請求項１に記載の生産情報処理システム。
【請求項４】
前記複数の生産地毎に１又は複数設けられた通信装置は夫々、前記生産地の地域を示す地域情報、前記生産地で生産される生産物の属性情報を記憶する記憶部と、
該記憶部に記憶してある属性情報を他の通信装置へ送信する送信部と、
他の通信装置から送信される属性情報と前記記憶部に記憶してある属性情報とを比較して合致するか否かを判断する判断部と
を備え、
合致すると判断された場合、前記他の通信装置との間で取得するセンサデータを交換する
ことを特徴とする請求項１に記載の生産情報処理システム。
【請求項５】
複数の生産地夫々に設けられる複数のセンサと、前記複数の生産地毎に１又は複数設けられており、対応する生産地の複数のセンサにて測定されたセンサデータを取得して送信する通信装置と、該通信装置から送信されるセンサデータを収集する情報処理装置とを用いる生産情報処理方法であって、
前記通信装置は、前記複数のセンサから取得するセンサデータを、生産地を識別する識別情報と対応付けて送信し、
前記情報処理装置は、
前記複数の通信装置から送信されるセンサデータを前記識別情報と対応付けて生産情報テーブルとして記憶し、
前記生産地にて生産される生産物の属性情報を生産地毎に取得し、
取得した属性情報を前記識別情報に対応付けて属性テーブルとして記憶し、
該属性テーブルにおける属性情報に基づき前記生産情報テーブルからセンサデータを抽出し、
抽出したセンサデータを他装置へ送信する
ことを特徴とする生産情報処理方法。
【発明の詳細な説明】
【技術分野】
【０００１】
本発明は、異なる生産地間でセンサデータを含む生産情報を交換することを可能とし、生産効率向上を図ることができる生産情報処理システム及び生産情報処理方法に関する。
【背景技術】
【０００２】
センサ技術及び無線通信技術の向上により、多種多様なセンサにて測定されたセンサデータを無線通信により収集し、センサデータに基づいてモノの制御を行なうシステムが種々提案されている。特に農業の分野において、温度センサ、湿度センサ、土壌センサ等のセンサを用いて生産効率、収益性を向上させる取り組みが種々提案されている。
【０００３】
特許文献１には、栽培施設に設けられた日照センサと、土壌中の水分量を測定する土壌センサとで測定されたデータを遠隔に設置されているサーバで情報処理し、栽培施設に供給される培養原液の分量等を制御する養液土耕システムが開示されている。
【先行技術文献】
【特許文献】
【０００４】
【特許文献１】特開２０１５−０８０４３８号公報
【発明の概要】
【０００５】
しかしながら、サーバにて収集されたデータによって導き出された制御情報に基づいて各農地における作業手順を中央制御するような方法では、必ずしも全体として収益が向上するとは限らない。農業における生産効率の向上には、天候についての予測に基づく準備などノウハウ的な要素の影響も無視できないケースがあるから、中央制御よりも他の優れた生産者の手法を倣うことが望まれる場合がある。
【０００６】
本発明は斯かる事情を鑑みてなされたものであり、異なる生産地間でセンサデータを含む生産情報を交換することを可能とし、生産効率向上を図ることができる生産情報処理システム及び生産情報処理方法を提供することを目的とする。
【課題を解決するための手段】
【０００７】
本開示の生産情報処理システムは、複数の生産地夫々に設けられる複数のセンサと、前記複数の生産地毎に１又は複数設けられており、対応する生産地の複数のセンサにて測定されたセンサデータを取得して送信する通信装置と、該通信装置から送信されるセンサデータを収集する情報処理装置とを含む生産情報処理システムであって、前記通信装置は、前記複数のセンサから取得するセンサデータを、生産地を識別する識別情報と対応付けて送信し、前記情報処理装置は、前記複数の通信装置から送信されるセンサデータを前記識別情報と対応付けて記憶する生産情報テーブルと、前記生産地にて生産される生産物の属性情報を生産地毎に取得する取得部と、取得した属性情報を前記識別情報に対応付けて記憶する属性テーブルと、該属性テーブルにおける属性情報に基づき前記生産情報テーブルからセンサデータを抽出して他装置へ送信する送信部とを備える。
【０００８】
本開示の生産情報処理システムは、前記生産情報テーブルには、前記生産地を識別する識別情報毎に、前記送信部による送信の可否を示す可否情報が記憶されている。
【０００９】
本開示の生産情報処理システムは、前記情報処理装置は、前記属性情報テーブルにおける生産地毎の生産物の属性情報と対応する前記生産地を夫々識別する識別情報を表示し、生産地の選択を受け付ける画面を生成する生成部を備え、前記送信部は、前記画面にて選択された生産地の識別情報に対応するセンサデータを前記他装置へ送信する。
【００１０】
本開示の生産情報処理システムは、前記複数の生産地毎に１又は複数設けられた通信装置は夫々、前記生産地の地域を示す地域情報、前記生産地で生産される生産物の属性情報を記憶する記憶部と、該記憶部に記憶してある属性情報を他の通信装置へ送信する送信部と、他の通信装置から送信される属性情報と前記記憶部に記憶してある属性情報とを比較して合致するか否かを判断する判断部とを備え、合致すると判断された場合、前記他の通信装置との間で取得するセンサデータを交換する。
【００１１】
本開示の生産情報処理方法は、複数の生産地夫々に設けられる複数のセンサと、前記複数の生産地毎に１又は複数設けられており、対応する生産地の複数のセンサにて測定されたセンサデータを取得して送信する通信装置と、該通信装置から送信されるセンサデータを収集する情報処理装置とを用いる生産情報処理方法であって、前記通信装置は、前記複数のセンサから取得するセンサデータを、生産地を識別する識別情報と対応付けて送信し、前記情報処理装置は、前記複数の通信装置から送信されるセンサデータを前記識別情報と対応付けて生産情報テーブルとして記憶し、前記生産地にて生産される生産物の属性情報を生産地毎に取得し、取得した属性情報を前記識別情報に対応付けて属性テーブルとして記憶し、該属性テーブルにおける属性情報に基づき前記生産情報テーブルからセンサデータを抽出し、抽出したセンサデータを他装置へ送信する。
【００１２】
本開示の生産情報処理システムでは、一の生産地における生産に関するセンサデータがその生産地における生産物の属性情報に基づいて抽出されて他の生産地へ送信される。他の生産地では、一の生産地におけるセンサデータを参照することが可能になる。属性情報は、生産物の品目、品種、収量、品質、生産手法、生産地の地域、又は気候である。
【００１３】
本開示の生産情報処理システムでは、センサデータには、生産地毎に送受信の可否を示す情報が記憶されており、可否によって生産地毎のセンサデータに差異を設けることができる。
【００１４】
本開示の生産情報処理システムでは、属性情報に基づいて選択された一の生産地におけるセンサデータが他の生産地で参照可能になる。生産地毎の選択を受け付けることにより、生産情報を株価、為替のような経済に関する情報と同様に流通させることが可能になる。
【００１５】
本開示の生産情報処理システムでは、センサ群で得られる多様な情報を、情報処理装置で収集するのみならず、通信装置間のＰ２Ｐ（Peer to Peer）通信によって交換させることができる。情報処理装置における収集に障害が発生した場合であっても、生産情報の交換により情報の流通を継続させることが可能になる。
【発明の効果】
【００１６】
本開示の生産情報処理システムによる場合、他の生産地では属性情報に基づき抽出された一の生産地におけるセンサデータを参照することが可能になるから、例えば最も収量が多い生産地におけるセンサデータを参考にして生産効率を向上させることが可能になる。
【図面の簡単な説明】
【００１７】
【図１】本開示の生産情報処理システムの概要を示す模式図である。
【図２】実施の形態１における生産情報処理システムの構成を示すブロック図である。
【図３】生産情報処理システムにて実行される処理手順の一例を示すフローチャートである。
【図４】生産情報ＤＢに記憶される情報の内容例を示す説明図である。
【図５】情報処理装置における分析処理の一例を示すフローチャートである。
【図６】情報処理装置の処理により表示される画面例を示す説明図である。
【図７】情報処理装置の処理により表示される画面例を示す説明図である。
【図８】情報処理装置からの生産情報の送信処理手順の一例を示すフローチャートである。
【図９】通信装置でのＰ２Ｐ通信の処理手順の一例を示すフローチャートである。
【図１０】実施の形態２における生産情報処理システムの構成を示すブロック図である。
【図１１】実施の形態２における生産情報の送信処理手順の一例を示すフローチャートである。
【発明を実施するための形態】
【００１８】
以下、本願発明に係る生産情報処理システムについて、実施の形態を示す図面に基づいて説明する。以下の例では、農作物の生産情報の処理を例に挙げて説明するが、農作物の生産情報に限定されず、ＩＯＴ（Internet Of Things）システムに広く適用することができる。
【００１９】
図１は、本開示の生産情報処理システム１００の概要を示す模式図である。生産情報処理システム１００は、複数の生産地Ａ，Ｂ，Ｃ夫々に設置されている温度計、湿度計、及びカメラ等を含むセンサＳ群から得られる農作物の生産に関する生産に関するパラメータ（生産情報）を所謂クラウドと呼ばれるシステムへネットワークＮ経由で収集する。クラウドはネットワークＮ経由で相互に通信接続された１つ又は複数の情報処理装置２及び生産情報ＤＢ３を含み、収集した生産情報を基に、情報処理装置２は生産情報ＤＢ３を構築すると共に、生産情報ＤＢから得られる情報をノード１である生産地Ａ，Ｂ，Ｃへ提供する。
【００２０】
例えば情報処理装置２は、生産地Ａ，Ｂ，Ｃから夫々に設置されているセンサＳ群から得られる生産情報を生産地Ａ，Ｂ，Ｃ毎に生産情報ＤＢ３に記憶すると共に、収量を各々の生産者から、又は図示しない出荷管理システムから取得する。情報処理装置２は、生産地Ａ，Ｂ，Ｃ毎の収量を分析し、分析結果を示す情報を開示する。分析結果は生産情報処理システム１００を利用する生産者が所持するスマートフォン等の情報端末装置５から閲覧可能な情報として提供される。分析の結果、生産地Ａにおける農作物の収量が最も多い場合、情報処理装置２は生産地ＡにおけるセンサＳ群から得られる生産に関する様々な情報を他の生産地Ｂ，Ｃへも提供できるようにする。これらの情報に基づき生産地Ｂ，Ｃにおける収量も上昇させることができるなどの効果が期待できる。
【００２１】
また本開示の生産情報処理システム１００では、生産地Ａ，Ｂ，Ｃにおける通信装置１０は、情報処理装置２を中央装置とする端末装置として機能することに限らない。通信装置１０同士、即ちノード１間でネットワークＮ又は直接的にＰ２Ｐ通信を行なうことも可能とする。ノード１は生産地Ａ，Ｂ，Ｃの生産情報を直接的に交換することができる。例えば各ノード１は、生産されている農作物の品目、品種等の属性情報を保持しておき、同一の品種の農作物を生産している生産地Ａ，Ｂ，Ｃの内のいずれかを特定して生産情報を交換することが可能である。
【００２２】
更に本開示の生産情報処理システム１００では、収集される生産情報について例えば生産地、生産者毎に、生産情報ＤＢ３への記憶の可否、生産情報ＤＢ３からの参照の可否、ノード１間での送受信の可否等の許可情報を対応付ける。これにより、生産情報の流通を制御することができ、生産地Ａには生産情報の提供の見返りとしての報酬の発生、生産地Ｂ，Ｃへは生産情報の提供に対する対価の発生等、生産情報の提供を事業化することを可能とする。
【００２３】
図１に示したような生産情報処理システム１００を実現するための詳細な構成について実施の形態を挙げて以下に説明する。
【００２４】
（実施の形態１）
図２は、実施の形態１における生産情報処理システム１００の構成を示すブロック図である。生産情報処理システム１００は、複数のノード１と、各ノード１に対する中央制御装置として機能する情報処理装置２と、生産情報ＤＢ３と、情報端末装置５とを含む。
【００２５】
ノード１は夫々、センサＳ群とセンサＳ群に接続される制御装置１１と、通信装置１０とを含む。センサＳ群は例えば、温度計を含む。温度計は生産地Ａ，Ｂ，Ｃにおける気温を測定する温度計、又は生産地Ａ，Ｂ，Ｃにて農作物の生産に用いられるビニールハウス等の栽培施設内の室温を測定する温度計を含む。センサＳ群はまた、室内の湿度を測定する湿度計を含む。湿度計の他、生産用地の土壌水分測定器を含んでもよい。センサＳ群は更に、栽培施設内に気圧を測定する気圧計、栽培施設内の二酸化炭素ガス濃度を測定する濃度計を含んでもよい。またセンサＳ群は動画像又は静止画像を撮影するカメラを含んでもよい。その他、生産地Ａ，Ｂ，Ｃの雨量を測定する雨量計、風向及び風速を測定する風向風速計、日射量を測定する日射計を含んでもよい。その他、農作物の生産に関するパラメータとなり得るデータを取得することができる多様なセンサを用いることができる。
【００２６】
制御装置１１は例えばマイクロプロセッサを備えた制御回路を用い、センサＳ群から出力される信号を取得し、取得した信号から得られるセンサデータを通信装置１０へ送信する。制御装置１１は図２に示すように、センサＳ群に含まれる１又は複数の測定デバイスと一体となって通信装置１０へセンサデータを送信する。制御装置１１間でセンサデータを中継しながら送信してもよい。なお制御装置１１はセンサＳ群全てから信号を入力してデータを取得するようにしてもよい。制御装置１１及び通信装置１０間、又は制御装置１１同士の情報の送受信は無線通信が好ましく、例えばBluetooth（登録商標）、特に２．４ＧＨｚのＢＬＥ（Bluetooth Low Energy）を用いるか、又は同じく２．４ＧＨｚ若しくは９２０ＭＨｚのIEEE 802.15.4g等の無線通信規格を用いるとよい。
【００２７】
通信装置１０は、複数の通信デバイス１０１を備えた所謂ＩＯＴゲートウェイと呼ばれる装置を用いる。通信装置１０は更に、プロセッサ１００及びメモリ１０２を備える。プロセッサ１００はＣＰＵ及びクロック等を用いて予め記憶されたプログラムに基づき、制御装置１１から送信されたセンサデータの送受信に係る処理を行なう。複数の通信デバイス１０１は、制御装置１１との通信用デバイス、ネットワークＮに含まれるキャリアネットワークＮ２経由での通信を実現する次世代移動通信規格用のデバイス等である他、イーサネット（登録商標）用のデバイス、無線ＬＡＮ用のデバイスを含んでもよい。
【００２８】
通信装置１０のメモリ１０２は例えばフラッシュメモリ等の不揮発性メモリを用い、プロセッサ１００が参照する情報を記憶する。またメモリ１０２には、通信装置１０自身を各々識別する識別子、通信装置１０が設置されているノード１（生産地）を他と識別する識別情報が記憶されている。メモリ１０２には更に、ノード１に付与される属性情報（ノード１が所属する生産地の地域を識別する地域情報、生産されている農作物の品目、品種等の情報）が記憶されており、プロセッサ１００により参照される。
【００２９】
情報処理装置２は、サーバコンピュータを用い、プロセッサ２０、記憶部２１、一時記憶部２２、及び通信部２３を含む。本開示では情報処理装置２は、一台のサーバコンピュータとして説明するが、機能毎に複数のサーバコンピュータで分散させて構成されてもよい。例えば、後述する情報処理プログラム２１Ｐに基づく処理を行なう情報処理装置２と、同じく後述する学習プログラム２２Ｐに基づく処理を行なう情報処理装置２とで異なるサーバコンピュータにより実現されてもよい。また、異なるノード１に対し同一の処理を分散して行なう複数のサーバコンピュータで構成されてもよい。
【００３０】
プロセッサ２０は、マルチコアＣＰＵ及びクロックを用いて記憶部２１に記憶されている情報処理プログラム２１Ｐ及び学習プログラム２２Ｐを読み出して実行することにより、汎用サーバコンピュータを生産情報に関する特別な処理を実行する情報処理装置２として機能させる。
【００３１】
記憶部２１は、ハードディスク又はフラッシュメモリを用いる。記憶部２１には情報処理プログラム２１Ｐ、学習プログラム２２Ｐを記憶するほか、Ｗｅｂサーバプログラム、Ｗｅｂアプリサーバ等のクラウドとしての機能を発揮するプログラムが記憶されている。記憶部２１にはその他、プロセッサ２０が参照する情報が記憶されている。一時記憶部２２は、ＤＲＡＭ等の不揮発性メモリを用いる。一時記憶部２２はプロセッサ２０の処理により生成される情報を一時的に記憶する。
【００３２】
通信部２３は、ネットワークＮを介した通信接続を実現するネットワークデバイスであり、例えばネットワークカード又は無線通信デバイスである。
【００３３】
生産情報ＤＢ３は、情報処理装置２の記憶部２１内、又は情報処理装置２とは異なる外部記憶装置に記憶されるデータベースである。生産情報ＤＢ３は、情報処理装置２の処理により各ノード１から集められたセンサデータを生産地Ａ，Ｂ，Ｃを夫々識別する識別情報に対応付けて記憶する。生産情報ＤＢ３に記憶されるデータの内容については詳細を後述する。
【００３４】
情報端末装置５は、上述したように所謂スマートフォン又はタブレット端末であって、プロセッサ５０、記憶部５１、一時記憶部５２、表示部５３、操作部５４及び通信部５５を備える。なお情報端末装置５は、デスクトップ型又はラップトップ型のＰＣ（Personal Computer ）であってもよい。
【００３５】
プロセッサ５０は、ＣＰＵを用いて記憶部５１に記憶されているプログラムを実行する。一時記憶部５２はＤＲＡＭ等の揮発性メモリを用いてプロセッサ５０の処理により生成される情報を一時的に記憶する。記憶部５１は、フラッシュメモリを用い、Ｗｅｂブラウザプログラム等の汎用プログラムの他、プロセッサ５０が参照する情報を記憶する。
【００３６】
表示部５３は、液晶パネル又は有機ＥＬディスプレイ等を用い、タッチパネルを内蔵する。情報端末装置５がＰＣである場合はタッチパネル内蔵型でなくてよい。表示部５３はプロセッサ５０の指示により画像を表示する。操作部５４は、情報処理装置５の筐体に設けられた物理ボタン及び表示部５３のディスプレイ内蔵のタッチパネルを用いる。操作部５４はキーボード及びマウス等のユーザインタフェースを含んでもよい。操作部５４はユーザによる操作情報をプロセッサ５０へ通知する。
【００３７】
通信部５５は、基地局ＢＳに接続する通信規格に基づく無線通信モジュール及びアクセスポイントＡＰへの接続に対応する無線通信モジュールを含むか、又はネットワークＮへの通信接続可能なネットワークカードを含む。プロセッサ５０は通信部５５により、ネットワークＮを介した他装置との通信接続が可能である。
【００３８】
ネットワークＮは、所謂インターネットである公衆通信網Ｎ１と、所定の移動通信規格による無線通信を実現するキャリアネットワークＮ２とを含む。キャリアネットワークＮ２には、基地局ＢＳが含まれ、通信装置１０は基地局ＢＳからネットワークＮを介した他装置との通信を可能とする。公衆通信網Ｎ１にはアクセスポイントＡＰが接続されており、情報端末装置５はアクセスポイントＡＰ又は基地局ＢＳを介して他装置との通信を可能とする。
【００３９】
このように構成される生産情報処理システム１００における各装置の動作について詳細を説明する。図３は、生産情報処理システム１００にて実行される処理手順の一例を示すフローチャートである。生産情報処理システム１００における通信装置１０、情報処理装置２、及び情報端末装置５は夫々、起動している間は図３のフローチャートに示すような処理を繰り返し実行する。
【００４０】
通信装置１０は、プロセッサ１００により定期的に制御装置１１から送信されるセンサデータを受信したか否か判断する（ステップＳ１１）。受信したと判断された場合（Ｓ１１：ＹＥＳ）、プロセッサ１００はメモリ１０２に記憶してある通信装置１０自身を各々識別する識別子又はノード１に付与される属性情報を読み出す（ステップＳ１２）。プロセッサ１００は受信したセンサデータを、ステップＳ１２で読み出した識別子又は属性情報と対応付けて、当該ノード１における生産に関するパラメータとして情報処理装置２へ向けて送信する（ステップＳ１３）。ステップＳ１３では更にプロセッサ１００は、制御装置１０からセンサデータを受信した時刻、日時、若しくはセンサＳ群で測定を行なった時刻、日時等を取得してこれらの時間情報を共に送信し（Ｓ１３）、処理を終了する。
【００４１】
プロセッサ１００は、センサデータを受信していない場合は（Ｓ１１：ＮＯ）、受信するまで待機する。このようにプロセッサ１００は、センサデータを受信する都度に情報処理装置２へ向けて自身のノード１を特定する情報（識別子又は識別情報）と、センサデータに係る時間情報とを情報処理装置２へ送信する。なお通信装置１０のプロセッサ１００は、センサデータを制御装置１１から受信する都度にメモリ１０２に記憶し、一定期間が経過する都度にメモリ１０２から最新データを読み出して情報処理装置２へ送信するようにしてもよい。
【００４２】
情報端末装置５では、情報端末装置５を所持する生産者が操作部５４を用いて、日毎に又は週毎などの一定周期で生産される農作物別に、収量を入力する。情報端末装置５のプロセッサ５０は例えば、生産情報処理システム１００について各生産者に発行されるアカウント情報に基づいて、情報処理装置２で動作するＷｅｂサーバにより提供されるＷｅｂページにて収量の入力を受け付ける（ステップＳ５１）。プロセッサ５０は、受け付けた収量を示す情報を、日にち（又は期間）を示す時間情報及び識別情報と共に通信部５５を介して送信し（ステップＳ５２）、一回の収量の送信処理を終了する。なお収量の入力は、情報処理装置２で動作するＷｅｂサーバにより提供されるＷｅｂページからとは限らない。例えば生産者が所属する農業協同組合等で管理される出荷管理システムにて生産地又は生産者毎に計数される収量を、各生産地又は生産者を品目及び品種毎に識別する識別情報によって該出荷管理システムから情報処理システム１００の情報処理装置２が読み出す構成としてもよい。
【００４３】
情報処理装置２では、プロセッサ２０が記憶部に記憶されている情報処理プログラム２１Ｐに基づき以下のような処理を行なう。プロセッサ２０は、通信部２３により各ノード１の通信装置１０から送信された生産に関するパラメータを受信し（ステップＳ２１）、該パラメータを、対応する送信された識別子若しくは属性情報と対応付けて生産情報ＤＢ３に記憶する（ステップＳ２２）。ステップＳ２２においてプロセッサ２０は、パラメータと共に送信される時間情報をパラメータと対応付けて記憶する。プロセッサ２０は、通信部２３により任意のタイミングで情報端末装置５から送信される収量の情報を受信する（ステップＳ２３）。そしてプロセッサ２０は、受信した農作物の収量を、該収量と対応付けて送信される時間情報と、各々を識別する識別情報に対応付けて生産情報ＤＢ３に記憶し（ステップＳ２４）、処理を終了する。なおステップＳ２１及びＳ２２と、ステップＳ２３及びＳ２４とは、別処理として実施される。ステップＳ２１及びＳ２２は、各通信装置１０からデータが送信される都度（一日に数回以上）に実施され、ステップＳ２３及びＳ２４は、一日に一度又はそれ以下の頻度で実施される。
【００４４】
図４は、生産情報ＤＢ３に記憶される情報の内容例を示す説明図である。生産情報ＤＢ３は例えば、各ノード１の通信装置１０から得られた生産に関するパラメータを記憶する生産情報テーブル、生産者の入力又は出荷システムから得られる収量を記憶する収量テーブル、及び生産される農作物を夫々識別する生産品種テーブルを含む。収量テーブル及び生産品種テーブルは生産地の特徴を示す属性情報を記憶する属性テーブルに対応する。生産情報ＤＢ３はその他様々なテーブルを含んでもよいし、図４に示すようなデータベース構造にも限定されない。
【００４５】
図４に示す例では、生産情報テーブルには、通信装置１０から送信された農作物の生産に関するパラメータ（温度、湿度、二酸化炭素濃度、水分量等）が、測定又は送信された日時及び識別情報と共に記憶されている。識別情報は、農作物の生産地を、生産する品目及び品種毎に識別する識別情報であって、即ちノード１を識別する情報である。収量テーブルには、日毎の収量が、収穫された生産地即ちノード１を識別する識別情報に対応付けられて記憶されている。また生産品種テーブルには、ノード１を識別する識別情報と、ノード１で生産されている農作物の品目及び品種、生産地、ノード１に対応する通信装置１０の識別子、生産地の位置情報（住所、名前、緯度経度など）、位置情報よりも広域の地域を示す地域情報、生産地の土壌などの属性情報が対応付けて記憶されている。
【００４６】
また生産品種テーブルには、ノード１即ち農作物の品目及び品種並びに生産地毎に、生産に関するパラメータの開示の許可（ＯＫ）又は不可（ＮＧ）を示す情報が対応付けて記憶されているとよい。開示の許可のみならず、分析（後述する学習処理）は許可（分析ＯＫ）などと複数種類の可否について対応付けられて記憶されていてもよい。
【００４７】
情報処理装置２のプロセッサ２０は、メモリ２１に記憶されている学習プログラム２２Ｐに基づき、図４の説明図に示したような内容の生産情報ＤＢ３に対してノード１毎に集計したデータを分析し、分析結果を情報端末装置５から閲覧可能に提供する。分析処理の一例としてプロセッサ２０は、ノード１を識別する識別情報、即ち生産されている品種及び生産地毎に、収量を月毎、日毎又は年毎のデータとして算出してグラフ等を作成する。このときプロセッサ２０は、開示が許可（ＯＫ）されているノード１のデータのグラフのみ閲覧可能とするとよい。また分析処理の他の一例としてプロセッサ２０は、図４の生産情報テーブルに記憶されている生産に係るパラメータから、品種毎に、該品種の農作物を生産するために最も適したパラメータ（温度、湿度、二酸化炭素濃度、水分量等）を推定する処理を行なう。そしてプロセッサ２０は、推定された最適パラメータをその日及び時刻毎に算出して出力する。例えば品種ｘ１を北関東地区の生産地で生産する場合には、栽培施設内の温度を何時に何度とするか、湿度を何％とする等の情報である。この場合もプロセッサ２０は、分析がＯＫとされているノード１のパラメータのみを用いて最適パラメータの算出処理を実行するとよい。
【００４８】
図５は、情報処理装置２における分析処理の一例を示すフローチャートである。情報処理装置２のプロセッサ２０は、図３のフローチャートにて示した処理手順とは独立して、以下の処理を毎日、週に一度等、間欠的に実行する。情報処理プログラム２１Ｐに基づく処理を行なうコンピュータと異なるコンピュータにて学習プログラム２２Ｐに基づく以下のような処理を実行するようにしてもよい。
【００４９】
プロセッサ２０は、生産品目を選択し（ステップＳ２０１）、選択した生産品目について生産情報ＤＢ３の生産情報テーブルからセンサデータ、収量テーブルから収量を示す情報を抽出する（ステップＳ２０２）。プロセッサ２０は、抽出したセンサデータ及び収量を示す情報に基づいて所定の分析処理を行なう（ステップＳ２０３）。分析処理の内容は、例えば統計的処理、ＡＩ（Artificial Intelligence ）学習等である。プロセッサ２０はその他、各パラメータの日時情報を基に天候に関する情報を外部から取得して対応付けたり、地域毎にデータ又は収量を分別して統計情報を求めたりするなどの処理を学習プログラム２２Ｐに基づいて実行してもよい。
【００５０】
そしてプロセッサ２０は、ノード１の識別情報毎に、即ち生産されている品種及び生産地毎に、収量を月毎、日毎又は年毎のデータとして出力する（ステップＳ２０４）。出力先は生産情報ＤＢ３であって、これによりノード１毎の収量テーブルが作成されてもよいし、後述する情報端末装置５へ出力されるようにしてもよい。
【００５１】
またプロセッサ２０は、ステップＳ１にて選択した生産品目について、生産地の地域別に最適となるパラメータを作成し（ステップＳ２０５）、最適パラメータを記憶部２１又は生産情報ＤＢ３に記憶し（ステップＳ２０６）、処理を終了する。
【００５２】
図６及び図７は、情報処理装置２の処理により表示される画面例を示す説明図である。図６及び図７は例えば、実施の形態１における情報処理装置２で動作するＷｅｂサーバにより提供され、生産情報処理システム１００について各生産者に発行されるアカウント情報に基づき情報端末装置５の表示部５３にて表示される画面５３１を示す。図６に示す画面５３１には、品目Ｘについて情報処理装置２にて収集され、生産情報ＤＢ３の収量テーブルに記憶された収量を月毎に、生産地及び品種別で集計したグラフが含まれている。また画面５３１には、各々の農作物の生産に関する生産情報の詳細を示す画面へのリンクボタン５３１１が含まれている。
【００５３】
図７は、リンクボタン５３１１が選択された場合の詳細情報画面５３２の内容例を示している。図７の例では、識別情報ｘａ１（品目Ｘ、品種ｘ１、生産地Ａ）に関する詳細情報の画面例が示されている。詳細情報画面５３２には、品種の詳細、属性情報（「属性データ」として生産地Ａの地域、土壌の種類等）が示されており、月毎の収量分布と、同じ生産地における他の品種（ｘ２）と比較した年毎の収量分布等を含んでいる。また詳細情報画面５３２には、「ＳＥＬＥＣＴ」ボタン５３２１が含まれている。「ＳＥＬＥＣＴ」ボタン５３２１が選択された場合、表示されている識別情報ｘａ１で識別されるノード１における生産に関するパラメータが情報端末装置５へ送信される。送信されるパラメータは、過去１年、当月、又は当日等所定の期間に対応するパラメータ等である。また送信されるパラメータは、開示がＯＫとされているノード１の識別情報が対応付けられているパラメータのみとするようにしてもよい。そもそも開示が許可されていないノード１の生産情報については図６又は図７の画面例で示したような画面にて選択が不可となるようにしてあることが好ましい。
【００５４】
図８は、情報処理装置２からの生産情報の送信処理手順の一例を示すフローチャートである。図８のフローチャートに示した処理手順は、情報処理プログラム２１Ｐに基づき実行される。なお、図３のフローチャートに示したパラメータ及び収量の受信を行なう情報処理装置２、又は図５のフローチャートに示した処理を行なう情報処理装置２とは更に異なるコンピュータを用いるようにしてもよい。
【００５５】
情報処理装置２のプロセッサ２０は、例えば図７の「ＳＥＬＥＣＴ」ボタン５３２１の選択等の機能によって、いずれかの生産地の品種の生産に関するパラメータ、又は品種に応じた最適なパラメータの送信要求を受け付けたか否かを判断する（ステップＳ２１１）。プロセッサ２０は、送信要求を受け付けたと判断された場合（Ｓ２１１：ＹＥＳ）、選択されたパラメータの生産地及び品種、即ちノード１の識別情報又は最適なパラメータを識別する識別情報に基づいて、パラメータの開示が可能か否かを判断する（ステップＳ２１２）。プロセッサ２０は、開示が可能であると判断された場合（Ｓ２１２：ＹＥＳ）、生産情報ＤＢ３から対応するパラメータを抽出する（ステップＳ２１３）。プロセッサ２０は、抽出したパラメータに対応する数値情報又は文字情報を、項目毎に、時間情報が示す日時の時系列に一覧化するなどした生産情報を作成し（ステップＳ２１４）、作成した生産情報を送信要求の要求元の情報端末装置５へ送信し（ステップＳ２１５）、処理を終了する。
【００５６】
ステップＳ２１５の送信は、日毎、又は月毎に分別して日毎又は月毎などの一定周期で送信するようにしてもよい。ステップＳ２１５で送信されるパラメータは、選択された生産地の通信装置１０からその日その時点で送信された最新のパラメータであってもよい。ステップＳ２１５における生産情報の送信先は、送信要求の要求元の情報端末装置５のみならず通信装置１０でもよい。この場合、情報処理装置２のプロセッサ２０は、送信要求の要求元の情報端末装置５を使用する生産者のアカウント情報に対応付けられているノード１の識別情報に基づき、通信装置１０の識別子を抽出し、抽出した識別子の通信装置１０を送信先として情報を送信する。そして通信装置１０では、プロセッサ１００が受信した生産情報を情報端末装置５へ送信して情報端末装置５の表示部５３、又は他のディスプレイにてデータを出力させるようにしてもよい。
【００５７】
ステップＳ２１１にて送信要求を受け付けていないと判断された場合（Ｓ２１１：ＮＯ）、プロセッサ２０は処理をステップＳ２１１へ戻して受け付けるまで待機する。ステップＳ２１２にて開示が不可であると判断された場合（Ｓ２１２：ＮＯ）、プロセッサ２０は、開示が許可されていないと通知するなど適宜エラー処理を行なって処理を終了する。
【００５８】
図８のフローチャートに示したように、選択されたノード１における生産に関するパラメータ又は算出された最適なパラメータを情報端末装置５又は通信装置１０へ送信することで、生産者により閲覧が可能となる。例えば、生産地Ｃにおける生産者が、生産地Ａにおける品種ｘ１の品目Ｘの生産に関するパラメータの送信を希望する場合、この生産者は自身に付与されているアカウント情報に基づいて情報端末装置５から、図６及び図７の画面５３１，５３２内で対応するパラメータを選択する。この場合、生産地Ａにおける品目Ｘ、品種ｘ１に係る識別情報ｘａ１が対応付けられたパラメータが生産情報ＤＢ３から抽出され、例えば情報端末装置５へ送信される。情報端末装置５の表示部５３に表示されるパラメータを視認する生産地Ｃの生産者は、生産地Ａではどのように品種ｘ１の農作物を生産しているかを知ることができる。生産地Ｃの生産者はこれらのパラメータを参照して自身で栽培施設における室温、湿度等の調整を行なう。これにより生産地Ｃにおける品目Ｘの収量を向上させることが期待される。また生産地Ｂの生産者が、品目Ｘの品種ｘ２について最適なパラメータの送信を希望する場合、情報端末装置５から、図６及び図７の画面５３１，５３２内で対応するパラメータを選択する。この場合、情報処理装置２にて品目Ｘの品種ｘ２について、生産地Ｂを含む地域について作成された最適パラメータが抽出され、例えば情報端末装置５へ送信される。生産地Ｂの生産者は、最適パラメータを参照しながら自身で栽培施設における室温、湿度等の調整を行なう。これにより、生産地Ｂにおける品目Ｘの収量を向上させることが期待される。
【００５９】
また本開示の生産情報処理システム１００では、他の生産地における生産に関するパラメータの取得を可能するが、収量が多い生産地におけるパラメータに倣って生産するように調整を行なうとは限られない。逆に、例えば生産地Ｂの生産者は、他の生産地における収量のデータを取得することにより、他の生産地で収量が少ない時期に収量を上げて収益性を向上させるような調整を行なうことも可能になる。このように生産情報を流通させるシステムを提供することで生産者による多様な活用を可能とする。
【００６０】
更に、本開示の生産情報処理システム１００では、通信装置１０及び情報処理装置２間のネットワークＮを介した通信に障害が発生した場合、図１を参照しながら説明したように、ノード１間でネットワークＮ又は直接的にＰ２Ｐ通信を行なうことも可能である。図９は、通信装置１０でのＰ２Ｐ通信の処理手順の一例を示すフローチャートである。各ノード１の通信装置１０は、ネットワークＮを介して情報処理装置２との間で通信が不可であると判断した場合に以下の処理を開始する。なお通信装置１０のプロセッサ１００は、キャリアネットワークＮ２用の通信デバイス１０１を用いて他の通信装置１０との間で周期的に、メモリ１０２に記憶されている識別子を含んだデータを交換し、経路情報を作成しておく。経路情報は情報処理装置２がノード１の位置情報を基に作成しておき、各ノード１の通信装置１０に配布しておいてもよい。
【００６１】
プロセッサ１００は、メモリ１０２に記憶されている属性情報、特に生産地の地域を識別する地域情報、生産されている農作物の品目、品種の情報を読み出す（ステップＳ１０１）。プロセッサ１００は、読み出した地域情報及び品目、品種の情報を問い合わせ情報として、自身の識別子と共に、経路情報に基づき他の通信装置１０宛てに送信する（ステップＳ１０２）。
【００６２】
ステップＳ１０１，１０２における処理と同時的にプロセッサ１００は、他から送信された地域情報及び品目、品種の情報を含む問い合わせ情報を他装置の識別子と共に受信し（ステップＳ１０３）、受信した問い合わせ情報に含まれる地域情報及び品目、品種の情報がメモリ１０２に記憶されている属性情報と合致するか否かを判断する（ステップＳ１０４）。合致すると判断された場合（Ｓ１０４：ＹＥＳ）、プロセッサ１００は、制御装置１１から受信したセンサデータを対応付けられていた識別子の通信装置１０宛てに経路情報に基づいて応答情報として通信デバイス１０１から送信する（ステップＳ１０５）。
【００６３】
そしてプロセッサ１００は、自身の識別子を宛先とする応答情報として、自身の属性情報と合致する属性情報を記憶している他の通信装置１０からセンサデータを受信する（ステップＳ１０６）。プロセッサ１００は、受信したセンサデータをメモリ１０２に最新データとして記憶するか又は他へ出力し（ステップＳ１０７）、処理を終了する。
【００６４】
ステップＳ１０４にて、合致しないと判断された場合（Ｓ１０４：ＮＯ）、プロセッサ１００は受信した問い合わせ情報を他の通信装置１０へ転送し（ステップＳ１０８）、処理をステップＳ１０６へ進める。
【００６５】
このような処理により、同一の品目及び品種の農作物を生産している同一地域の生産地の生産に関するパラメータを通信装置１０同士で交換することができる。
【００６６】
なお送信を所望するノード１の識別情報、該ノード１の通信装置１０の識別子を、通信装置１０にて記憶している場合、ステップＳ１０２にて問い合わせ情報としてこれらの情報を送信するようにしてもよい。生産地Ｂのノード１の通信装置１０が、生産地Ａのノード１における生産に関するパラメータの送信を要求している場合、生産地Ｂの通信装置１０のメモリ１０２に要求先の識別子として生産地Ａの通信装置１０の識別子を記憶しておく。生産地Ｂの通信装置１０のプロセッサ１００は、メモリ１０２に記憶されている要求先の識別子を問い合わせ情報として送信する。生産地Ａの通信装置１０のプロセッサ１００は、問い合わせ情報として受信した識別子が自身の識別子を示している場合、ステップＳ１０４にて属性情報が合致していると判断し、制御装置１１から受信したセンサデータを応答情報として生産地Ｂの通信装置１０へ送信する。
【００６７】
これにより、情報処理装置２がサーバとしてダウンした場合など、通信装置１０と情報処理装置２との間に通信障害が発生しても生産に関するパラメータの通信装置１０間での交換が可能となる。なお情報処理装置２において、品目又は品種ごとに、各ノード１に収量に基づく優先順位を付与しておき、経路情報等により配布しておいてもよい。これにより、予め所望の通信装置１０の識別子を記憶しておくことなしに、障害が発生した場合に優先されるべき収量の多いノード１のセンサデータを他のノードで受信することが可能になる。
【００６８】
（実施の形態２）
図１０は、実施の形態２における生産情報処理システム１００の構成を示すブロック図である。実施の形態２における生産情報処理システム１００では、制御装置１１にはアクチュエータＭ群が接続されている。アクチュエータＭは例えば、栽培施設であるビニールハウスの窓を開閉する装置のモータ、若しくは換気扇のモータである。またアクチュエータＭは例えば、栽培施設内に水分を散布する散水器である。実施の形態２における制御装置１１は、センサＳ群から得られる測定値と、記憶してある目標値とに基づき、自律的にアクチュエータＭ群を制御する機能を有している。その他の構成は、実施の形態１における生産情報処理システム１００と共通する。共通する構成には同一の符号を付して詳細な説明を省略する。
【００６９】
実施の形態２では、図６及び図７に示したような画面にて生産者が所望の生産に関するパラメータを選択した場合、情報処理装置２のプロセッサ２０が、選択されたパラメータの識別情報と、情報端末装置５にて操作を行なう生産者のアカウント情報とを対応付けて記憶する。なおアカウント情報には、生産者の生産地で使用されている通信装置１０の識別子が記憶部２１又は生産情報ＤＢ３に予め対応付けて記憶されている。その記憶されている識別子に基づき、情報処理装置２は選択された生産に関するパラメータを通信装置１０へ向けて所定のタイミングで情報を送信するとよい。図１１は、実施の形態２における生産情報の送信処理手順の一例を示すフローチャートである。
【００７０】
情報処理装置２のプロセッサ２０は、通信部２３により、１つのノード１の通信装置１０から送信された生産に関するパラメータを受信し（ステップＳ２２１）、該パラメータを、対応する送信された識別子若しくは属性情報と対応付けて生産情報ＤＢ３に記憶する（ステップＳ２２２）。プロセッサ２０は、受信したパラメータの送信元のノード１における生産に関するパラメータの送信を要求する生産者のアカウント情報を抽出する（ステップＳ２２３）。プロセッサ２０は更に、抽出したアカウント情報に対応付けて記憶されている生産者の生産地の通信装置１０を識別する識別子を抽出する（ステップＳ２２４）。プロセッサ２０は、抽出した識別子に基づき、ステップＳ２２１で受信したパラメータを、当該パラメータの送信を要求する通信装置１０へ向けて送信する（ステップＳ２２５）。
【００７１】
パラメータの送信の要求元である通信装置１０では、プロセッサ１００がパラメータを受信し（ステップＳ１２１）、受信したパラメータを制御装置１１へ送信する（ステップＳ１２２）。
【００７２】
制御装置１１では、通信装置１０から送信されたパラメータを受信し（ステップ１２３）、目標値として記憶する（ステップＳ１２４）。制御装置１１は、センサＳ群から得られる測定値と記憶した目標値との差異に基づき制御信号を生成し（ステップＳ１２５）、生成した制御信号をアクチュエータＭへ送信し（ステップＳ１２６）、処理を終了する。
【００７３】
このような処理により、例えば生産地Ｃにおける生産者が、生産地Ａにおける品種ｘ１の品目Ｘの生産に関するパラメータを希望する場合、生産地Ａにて栽培施設の室温が測定される都度、その温度が生産地Ｃの通信装置１０へ送信される。生産地Ｃでは、通信装置１０で受信した生産地Ａにおける栽培施設の室温を目標値として、制御装置１１によりアクチュエータＭ群の動作が制御される。これにより、生産地Ｃでも生産地Ａと同様の制御が行なわれて生産地Ａと同等の農作物の収穫が可能になり得る。
【００７４】
なお最適な生産情報、即ち学習プログラム２２Ｐに基づき算出されたパラメータの送信が希望されている場合、図１１のフローチャートにおけるステップＳ２２１〜Ｓ２２５に代替して、希望されている品目及び品種、生産地の地域別に記憶されている最適なパラメータが所定のタイミングで適宜送信されるとよい。
【００７５】
開示された実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００７６】
１０  通信装置
１００  プロセッサ
１０１  通信デバイス
１０２  メモリ
１１  制御装置
２  情報処理装置
２０  プロセッサ
２１  記憶部
２１Ｐ  情報処理プログラム
２２Ｐ  学習プログラム
３  生産情報ＤＢ（生産情報テーブル、属性テーブル）
５  情報端末装置
５０  プロセッサ
５３  表示部
【図１】
2018163606.tif 000003
【図２】
2018163606.tif 000004
【図３】
2018163606.tif 000005
【図４】
2018163606.tif 000006
【図５】
2018163606.tif 000007
【図６】
2018163606.tif 000008
【図７】
2018163606.tif 000009
【図８】
2018163606.tif 000010
【図９】
2018163606.tif 000011
【図１０】
2018163606.tif 000012
【図１１】
2018163606.tif 000013